(57)【特許請求の範囲】
【請求項１】
絵図を壁面に転写する転写方法であって、
８０〜９０重量％の粉末繊維素と、１０〜２０重量％のメチルセルロースと増粘多糖類から選ばれる少なくとも１種とを含むバインダーと、前記バインダー１００重量部に対して、１８００〜２６００重量部の水と、１〜２５重量部の染料または顔料の少なくともいずれかと、１００〜１５０重量部の安息香酸ナトリウムと、０．５〜６重量部のホウ酸とを添加してなる絵具であって、前記粉末繊維素はセルロースを含み、前記増粘多糖類はキサンタンガムを含み、前記絵具はチキソトロピー性を発現し、せん断速度が１０（１／ｓ）未満の領域では、粘性係数が４５（Ｐａ／ｓ）以上であり、せん断速度が１０（１／ｓ）以上の領域では、粘性係数が３５（Ｐａ／ｓ）以下である絵具により合成樹脂材の表面に前記絵図を描く第１工程と、
前記合成樹脂材の表面に対して水分を含ませた紙を接触させて前記絵図を該紙に転写する第２工程と、
前記壁面に水性接着剤を付着させる第３工程と、
前記水性接着剤を付着させた前記壁面に対して前記紙および該紙に転写した前記絵図を接着させて該絵図を該壁面に転写させる第４工程と
を備えることを特徴とする転写方法。
【請求項２】
請求項１に記載の転写方法により得られることを特徴とする絵図。
【発明の詳細な説明】
【技術分野】
【０００１】  本発明は、絵図を壁面に転写する転写方法およびこれにより得られる絵図に関するものである。
【背景技術】
【０００２】  画材として用いる絵具は、ビヒクルや展色材と称されるバインダーに顔料や染料を分散させたもので、バインダーの種類によって、油絵具、アクリル絵具、水彩絵具、岩絵具などのように分類され、塗布方法や仕上がり具合に違いが表れる。【０００３】  前記のような従来の油絵具、アクリル絵具などは、衣服等に付いた場合、衣服の奥に絡み付いた汚れは、数回洗濯をくり返しても汚れは残ることがある。また、絵具を塗った後の乾燥する過程で種類によっては、嫌悪感を持つような有臭ガスを漂わせるという課題がある。さらに、通常は粘性が低いため、レリーフのような仕上がりを狙って、立体感を出そうとすると、何度も絵具の塗り重ねを行う必要がある。【０００４】  また前記のレリーフの他、立体的な造形を得るには、絵具に適切な流動性を付与する、つまり、盛り上げるように塗布した絵具が流れて、いわゆるセルフレベリングを起こさないように、流動性を調整しないと、所要の形状が得られなくなる。【０００５】  粘性もしくは流動性を調整した水性塗料の例として、特許文献１には、微結晶セルロースとカルボキシメチルセルロース・ナトリウムまたはキサンタンガムからなるセルロース複合体とセルロース誘導体からなる水溶性高分子を配合した水性塗料組成物が開示されている。しかし、ここに開示されている技術は、前記の課題に十分に対処できるものではなく、なお、改善の余地がある。【０００６】
【先行技術文献】
【特許文献】
【０００７】
【特許文献１】  特許第４９７５３２６号公報
【発明の開示】
【発明が解決しようとする課題】
【０００８】  ここで、本願発明者は、取扱いが容易で、衣服などを汚した場合にも容易に除くことが可能で、かつ流動性を適切に調整することで、従来の絵具では困難な新規な表現や立体的な造形が得られる絵具（特願２０１３−０２８３３６）を発明している。本願発明は、かかる発明に基づく革新的な絵図の転写方法およびこれにより得られる絵図を提供することを目的とする。
【課題を解決するための手段】
【０００９】  本発明は、前記課題の解決のため、絵図を壁面に転写する転写方法であって、８０〜９０重量％の粉末繊維素と、１０〜２０重量％のメチルセルロースと増粘多糖類から選ばれる少なくとも１種とを含むバインダーと、前記バインダー１００重量部に対して、１８００〜２６００重量部の水と、１〜２５重量部の染料または顔料の少なくともいずれかと、１００〜１５０重量部の安息香酸ナトリウムと、０．５〜６重量部のホウ酸とを添加してなる絵具であって、前記粉末繊維素はセルロースを含み、前記増粘多糖類はキサンタンガムを含み、前記絵具はチキソトロピー性を発現し、せん断速度が１０（１／ｓ）未満の領域では、粘性係数が４５（Ｐａ／ｓ）以上であり、せん断速度が１０（１／ｓ）以上の領域では、粘性係数が３５（Ｐａ／ｓ）以下である絵具により合成樹脂材の表面に前記絵図を描く第１工程と、
前記合成樹脂材の表面に対して水分を含ませた紙を接触させて前記絵図を該紙に転写する第２工程と、
前記壁面に水性接着剤を付着させる第３工程と、
前記水性接着剤を付着させた前記壁面に対して前記紙および該紙に転写した前記絵図を接着させて該絵図を該壁面に転写させる第４工程と
を備えることを特徴とする。【００１０】  また、本発明は、前記の転写方法により得られることを特徴とする絵図である。
【発明の効果】
【００１１】  絵具を用いて、レリーフ状の造形を得るには、前記のように絵具の流動性を適切に調整することが必要である。それには、塗布の工程においては、作業に支障のない程度に絵具が流動性を生じ、塗布を終えた後は、乾燥するまで、セルフレベリングを起こさない程度に高粘度を示すことが望ましい。【００１２】  一般に流体には、せん断速度に関わらず、一定の粘性係数を示すニュートン流体がある一方で、せん断速度が低い領域では高い粘性係数を示し、せん断速度の上昇に伴い粘性係数が減少する疑塑性流体や、一定以上のせん断速度、即ち、降伏値に達しない状態では、流動し難いビンガム流体がある。つまり、絵具でレリーフ状の造形を得るには、静止状態では自重で流動しない、つまりビンガム流体に近い流動性を具備することが必要である。【００１３】  一方で、本発明の絵具においては、前記のようにメチルセルロースや増粘多糖類を主成分とするので、適当な防腐剤を添加しないと、保管中に腐敗やカビが発生することがある。この対策として、本発明者は、一般的に防腐剤として用いられている、安息香酸酸ナトリウムやホウ酸を加えて、保存性の向上を検討した。ところがその途次で、これらの添加、特にホウ酸の添加により、意外にも粘性が急激に増加し、無添加の場合に比較すると、チキソトロピー特性が顕著になることが明らかとなり、本発明をなすに至ったものである。【００１４】  本発明の絵具は、メチルセルロースや増粘多糖類を含み、さらに粉末繊維素を含む。これらにせん断力を負荷すると、分子鎖や繊維がせん断力の加わる方向に配向するので、チキソトロピー特性を示す。さらに、本発明に用いるホウ酸は、ルイス酸として働き、水素結合を形成するので、メチルセルロースや増粘多糖類の分子間の相互作用をより大きくし、粘性とチキソトロピー特性を増加させたものと解される。【００１５】  本発明に係る絵具は、絵画、デザイン、造形、工芸、などに使用可能である。粉末繊維素を含むため、乾燥すると紙質になるため、優しい感じが醸しだされる。さらに、本発明に係る絵具塗材によれば、デザイン、造形、工芸などにおいて、多種多様な形を提供することができ、レリーフのような平面的な造形の他、内部に空洞を有する立体的な造形を得ることができる。【００１６】  粉末繊維素には、種々の形態のものを用いることができるが、粉末繊維素は、天然の植物性繊維からなることが望ましいが、合成繊維からなってもよい。さらには、粉末状の食用の食物繊維でも使用可能である。また、粉末繊維素には古紙を原料とした再生繊維を用いてもよい。粉末繊維素は、乾燥状態でも湿潤状態でもよい。なお、前記の粉末繊維素の重量部は乾燥状態の重量部である。増粘多糖類の代替として他の糊剤を用いてもよいが、環境への負荷の観点から、天然由来のものが望ましい。【００１７】  また、絵具に色を付与する顔料としては、白色顔料として、亜鉛華、二酸化チタンなどが、赤色顔料として、酸化鉄赤などが、黄色顔料として、亜鉛黄などが、青色顔料として、ウルトラマリン青などが、黒色顔料として、カーボンブラックブラックなどが使用可能である。染料としては、赤色染料として、アリザリンなどが、青色染料として、インディゴなどが使用可能で���る。【００１８】  また、本発明に係わる絵具塗材は、黒色顔料として、竹炭粉末や木炭粉末を含んでいてもよい。この場合、竹炭や木炭による消臭、抗菌効果などを発揮することができる。竹炭粉末または木炭粉末は、バインダーに対し、０．１ないし２重量％の範囲で添加することが望ましい。さらには、香料や芳香剤を加えることで、造形物にアロマテラピーの効果を付与することも可能である。【００１９】  以上のように構成された絵具は、水溶性で適度な粘性を有する。そのため、合成樹脂材の表面から剥離させることができると共に、水を媒体として紙などに転写することができる。【００２０】  そのため、合成樹脂材の表面に描いた絵図に対して、水分を含ませた紙（例えば和紙）を接触させることで、絵図を紙に転写することできる。【００２１】  さらに、最終的に固定させたい壁面全体に水溶性の接着剤（例えば水溶性のり）を付着させておき、ここに紙に転写した絵図を接触させることで、紙から壁面に絵図を転写することができる。【００２２】  この場合、壁面は平面である必要はなく、曲面であっても紙を湾曲させることで転写が可能である。さらに、面の一部が切り欠かれていたり、凹凸があったりしても壁面に付着した水溶性の接着剤と絵図が部分的に接触していれば、紙から壁側への転写が可能となる。【００２３】  このように、本発明の転写方法によれば、革新的な絵図の転写が可能となる。
【図面の簡単な説明】
【００２４】
【図１】  本発明の絵具の粘性係数の測定結果の一例を示す図。
【図２】  本発明の転写方法の処理手順を示すフローチャート。
【図３】  図２の処理手順の内容を示す説明図。
【発明を実施するための形態】
【００２５】  次に本発明の実施の形態について説明する。本発明に係わる絵具は、前記のように、基本的には、８０〜９０重量％の、粉末繊維素と、１０〜２０重量％の、メチルセルロースと増粘多糖類から選ばれる少なくとも１種とを含むバインダーと、前記バインダー；１００重量部に対して、１８００〜２６００重量部の水と、１〜２０重量部の染料または顔料の少なくともいずれかと、１００〜１５０重量部の安息香酸ナトリウムと、０．５〜６重量部のホウ酸とを添加してなる。
【００２６】  添加する水の量を前記のように限定するのは、１８００重量部未満であると、絵具塗材の流動性が極めて低くなり、塗布が実質的に不可能となるからであり、２６００重量部を超える添加量では、逆に絵具塗材の粘性が低すぎて、例えば厚く塗るのが困難になるなどの様々な支障が生じるからである。なお、季節に応じて水の量や、防腐剤の量を調節することが必要である。
【００２７】  次に、本発明の絵具の具体的な製造方法の一例を示す。まずメチルセルロースを２０ｇ秤量し、５００ｃｃの水に投入して撹拌し、さらに安息香酸ナトリウムを５０ｇ秤量して均一になるまで、撹拌した。次に、キサンタンガムを２０ｇ秤量し、顔料として酸化第二鉄を１０ｇ秤量し、４００ｃｃの水に投入して均一になるまで撹拌した。
【００２８】  次に、粉末繊維素として、２００ｇのセルロースファイバーを秤量し、前記のメチルセルロース溶液とキサンタンガム溶液を混合した液に投入し、均一になるまで撹拌して、絵具を得た。さらに、ホウ酸を１．２ｇ秤量して添加し、均一になるまで撹拌した。
【００２９】  このようにして得られた、絵具の流動性を評価するために、レオメータを用いて、せん断速度と粘性係数の関係を求めた。この際、比較のため、ホウ酸を添加していない絵具も同様に評価した。
【００３０】  図１は、前記の粘性係数の測定結果を示す図で、丸を用いてプロットしたものは、本発明の絵具、正方形を用いてプロットしたものは、ホウ酸を添加していない絵具の結果である。図１の結果から明らかなように、せん断速度が、１０（１／ｓ）近傍では、本発明の陰具では、約４５（Ｐａ・ｓ）の粘性係数を示すのに対し、ホウ酸を添加していない絵具の粘性係数は、約３３（Ｐａ／ｓ）であり、顕著な差が明らかである。また、チキソトロピー特性にも、大きな差が見られた。この特性は、前記のように、絵具で立体的な造形や転写を行うのに極めて重要である。
【００３１】  次に、図２および図３を参照して、上記絵具を用いた図表の転写方法について説明する。
【００３２】  まず、下図１に基づいて合成樹脂材１０の表面に上記絵具で絵図を描く（図２／ＳＴＥＰ１０，本発明の第１工程に相当する）。
【００３２】  具体的には、図３（ａ）〜（ｂ）に示すように、予め下図１を準備し、これを透明な合成樹脂材１０の上に上記絵具で写す。図３（ｂ）では、下図の花びらに沿って絵具で途中まで写し取った状態を示している。なお、本実施形態では、合成樹脂材１０としてアクリルフィリム（クリアファイル）を用いている。
【００３３】  次に、絵図を写した合成樹脂材１０から和紙２０（本発明の紙に相当する）に絵図（絵具）を転写する（図２／ＳＴＥＰ２０，本発明の第２工程に相当する）。
【００３４】  具体的には、図３（ｃ）〜（ｄ）に示すように、絵図を写した合成樹脂材１０の上に水分を含ませた和紙２０を被せて、合成樹脂材１０上に描かれた絵図を和紙２０の裏面上に移動させる。このとき、和紙に予め水分を含ませると共に、必要に応じて表面側から霧吹き等で水分を和紙２０に含ませると共に、表面側をローラ等で撫でるようにしてもよい。
【００３５】  なお、転写させた和紙２０は、絵図の欠損を防止する観点から、和紙１０が乾燥してから合成樹脂材１０から剥がすことが好ましい。
【００３６】  次に、最終的に絵図を固定させる壁面３０に下地処理を施す（図２／ＳＴＥＰ３０，本発明の第３工程に相当する）。
【００３７】  具体的には、図３（ｅ）に示すように、壁面３０全体に水性接着剤を付着させる。このとき、水性接着剤は、凹凸を無くすように、ローラ等により平滑化することが好ましい。
また、水性接着剤は、水性糊の他、洗濯糊等であってもよい。
【００３８】  次に下地処理を施した壁面３０へ、絵図（絵具）を転写させておいた和紙２０からその絵図（絵具）を転写させる（図２／ＳＴＥＰ４０，本発明の第４工程に相当する）。
【００３９】  具体的には、図３（ｆ）に示すように、ＳＴＥＰ３０で下地処理を施した壁面３０に対して、ＳＴＥＰ２０で裏面に絵図を転写させた和紙２０を被せ、表面側をローラ等で扱く。
【００４０】  このとき、ローラ等の扱きと併せて和紙２０に霧吹き等で水分を含ませることで、絵図を構成する水溶性の絵具が和紙２０から浮き上がり（接触部分で溶け出し）、和紙２０から分離して壁面３０に確実に転写される。
【００４１】  最後に和紙２０を壁面３０から剥がして壁面３０の後処理を施す（図２／ＳＴＥＰ５０）。具体的には、和紙２０を剥がすことで表面が荒れた壁面３０の表面をローラ等で撫でて表面を平滑する。
【００４２】  以上の転写方法により得られた絵図は、下図１に基づいて同一の絵柄を複数の壁面３０に転写して用いることができると共に、上記絵具等はすべて水性接着材等で構成されるため、合成樹脂材１０や和紙２０、さらに、壁面３０などはすべて水洗いや水拭きして再利用することが可能である。
【００４３】  なお、壁面３０は平面である必要はなく、曲面であっても紙を湾曲させることで転写が可能である。さらに、面の一部が切り欠かれていたり、凹凸があったりしても壁面に付着した水溶性の接着剤と絵図が部分的に接触していれば、和紙２０から壁側への転写が可能となる。
【００４４】  さらに、合成樹脂材１０の表面から絵図を転写する和紙１０は、水分を含ませる紙状のものであればよく、布などであってもよい。
【００４５】  以上に説明したように、本発明によれば、革新的な絵図の転写が可能となる。
【符号の説明】
【００４６】１…下図、１０…合成樹脂材、２０…和紙（紙）、３０…壁面。
【要約】
【課題】革新的な絵図の転写方法およびこれにより得られる絵図を提供する。
【解決手段】絵図を壁面に転写する転写方法であって、８０〜９０重量％の粉末繊維素と、１０〜２０重量％のメチルセルロースと増粘多糖類から選ばれる少なくとも１種とを含むバインダーと、前記バインダー１００重量部に対して、１８００〜２６００重量部の水と、１〜２５重量部の染料または顔料の少なくともいずれかと、１００〜１５０重量部の安息香酸ナトリウムと、０．５〜６重量部のホウ酸とを添加してなる絵具により合成樹脂材の表面に前記絵図を描く第１工程と、前記合成樹脂材の表面に対して水分を含ませた紙を接触させて前記絵図を該紙に転写する第２工程と、前記壁面に水性接着剤を付着させる第３工程と、前記水性接着剤を付着させた前記壁面に対して前記紙および該紙に転写した前記絵図を接着させて該絵図を該壁面に転写させる第４工程とを備えることを特徴とする。
【選択図】図２【図１】
0005648944.tif 000002
【図２】
0005648944.tif 000003
【図３】
0005648944.tif 000004